(57)【要約】【課題】  特別な工具を用いることなく簡単に棚板を支柱に取り付けることができる組立式ラックの棚板取付構造を提供する。【解決手段】  フレーム（２３）の上に載置可能な棚板（９）と、フレームに取付可能な支柱群（７）と、を備える組立式ラック（１）の棚板取付構造において、当該棚板を、当該フレームの支柱取付部（５）の各々又は当該フレームに、取り外し自在に取り付けるための棚板取付具群（１１）を、備え、当該棚板取付具の各々が、当該棚板を保持可能に構成した板受け部（５１）と、当該板受け部に対して弾性変形可能な係止板部（７５）と、当該係止板部の下端に設けた当該支柱取付部の下端又は当該フレームの下端に係止可能な係止爪（７９）と、を備えている。板受け部が棚板角部を保持させるとともに、係止爪が支柱取付部下端等に係止させるだけで棚板の取付が完了する。取付には、特別の工具を必要としない。【選択図】      図１
2005143686.tif 000002
【特許請求の範囲】
【請求項１】
少なくとも１個の多角形フレームと、
当該フレームの角部の各々に設けた支柱取付部群と、
当該支柱取付部の各々に取り外し可能に取り付けた支柱群と、
当該フレームの上に載置可能な少なくとも１枚の多角形棚板と、を備える組立式ラックの棚板取付構造において、
当該棚板を、当該支柱取付部の各々又は当該フレームに、取り外し自在に取り付けるための棚板取付具群を、備え、
当該棚板取付具の各々が、当該棚板を保持可能に構成した板受け部と、当該板受け部に対して弾性変形可能な係止板部と、当該係止板部の下端に設けた当該支柱取付部の下端又は当該フレームの下端に係止可能な係止爪と、を備えている
ことを特徴とする組立式ラックの棚板取付構造。
【請求項２】
少なくとも１個の多角形フレームと、
当該フレームの角部の各々に設けた支柱取付部群と、
当該支柱取付部の各々に取り外し可能に取り付けた支柱群と、
当該フレームの上に載置可能な少なくとも１枚の多角形棚板と、を備える組立式ラックの棚板取付構造において、
当該棚板を、当該支柱取付部の各々又は当該フレームに、取り外し自在に取り付けるための棚板取付具群を、備え、
当該棚板取付具の各々が、当該棚板の厚み寸法よりも厚い高さ寸法を有する板受け部を備え、
当該板受け部が、当該支柱取付部の外周面に沿った形状の取付部側端面と、当該支柱取付部から突き出るフレーム辺の各々に沿った形状の両フレーム側端面と、当該棚板側に位置する棚板側端面と、当該棚板側端面を入口とする挿入凹部と、当該挿入凹部の奥行きを画定する凹部底面と、当該凹部の側方を画定する両凹部側面と、を備え、
当該棚板の各角部が、その頂部及び両側端部を欠落させることにより形成した角部端面及び両側部端面を備え、当該挿入凹部に挿入したときに当該角部端面と当該凹部底面との間に所定寸法の空間Ｇ１が、当該両側部端面と当該両凹部側面との間に所定寸法の空間Ｇ２が、それぞれ形成可能に構成してある
ことを特徴とする組立式ラックの棚板取付構造。
【請求項３】
前記板受け部が、前記挿入凹部の上方を画定する凹部上面及び前記挿入凹部の下方を画定する凹部下面を、さらに備え、
当該凹部上面及び／又は凹部下面には、前記角部の挿入方向と略一致する方向に延びるリブを形成してあり、当該リブが前記挿入凹部に挿入した前記棚板の角部の上面及び／又は下面と当接して当該上面及び／又は当該下面との間に所定寸法の空間Ｇ３を形成可能に構成してある
ことを特徴とする請求項２記載の組立式ラックの棚板取付構造。
【請求項４】
前記支柱取付部の各々が、前記支柱を挿入可能な挿入孔を有し、かつ、当該挿入孔の幅寸法が長さ方向に渡って漸減する筒体を含むものである
ことを特徴とする請求項１乃至３何れか記載の組立式ラックの棚板取付構造。
【請求項５】
少なくとも１個の多角形フレームと、
当該フレームの角部の各々に設けた中空状の支柱取付部群と、
当該支柱取付部の各々に抜き取り可能に挿入固定した支柱群と、
当該フレームの上に載置可能な少なくとも１枚の多角形棚板と、を備える組立式ラックの棚板取付構造において、
当該棚板を、当該支柱取付部の各々又は当該フレームに、取り外し自在に取り付けるための棚板取付具群を、備え、
当該棚板取付具の各々が、当該棚板の厚み寸法よりも厚い高さ寸法を有する板受け部と、当該板受け部の下端面から垂下するとともに当該板受け部に対して弾性変形可能な係止板部と、を備え、
当該板受け部が、当該支柱取付部の外周面に沿った形状の取付部側端面と、当該支柱取付部から突き出るフレーム辺の各々に沿った形状の両フレーム側端面と、当該棚板側に位置する棚板側端面と、当該棚板側端面を入口とする挿入凹部と、当該挿入凹部の奥行きを画定する凹部底面と、当該凹部の側方を画定する両凹部側面と、を備え、
当該係止板部が、当該支柱取付部下端又は当該フレーム辺の少なくとも一方の下端に係止可能な係止爪を下端に備え、
当該棚板の各角部が、その頂部及び両側端部を欠落させることにより形成した角部端面及び両側部端面を備え、当該挿入凹部に挿入したときに当該角部端面と当該凹部底面との間に所定寸法の空間Ｇ１が、当該両側部端面と当該両凹部側面との間に所定寸法の空間Ｇ２が、それぞれ形成可能に構成してある
ことを特徴とする組立式ラックの棚板取付構造。
【請求項６】
前記板受け部が、前記挿入凹部の上方を画定する凹部上面及び前記挿入凹部の下方を画定する凹部下面を、さらに備え、
当該凹部上面及び／又は凹部下面には、前記角部の挿入方向と略一致する方向に延びるリブを形成してあり、当該リブが前記挿入凹部に挿入した前記棚板の角部の上面及び／又は下面と当接して当該上面及び／又は当該下面との間に所定寸法の空間Ｇ３を形成可能に構成してある
ことを特徴とする請求項５記載の組立式ラックの棚板取付構造。
【請求項７】
前記係止板部の前記支柱取付部側の面が、前記取付部側端面と連続させてあり、かつ、当該支柱取付部外周面に沿った形状に形成してある
ことを特徴とする請求項５又は６記載の組立式ラックの棚板取付構造。
【発明の詳細な説明】
【技術分野】
【０００１】
本発明は、棚板を含む複数の部材を組み立てることにより完成する組立式ラックにおいて、その棚板を取り付けるための取付構造に関するものである。
【背景技術】
【０００２】
これまで知られている組立式ラックとして、特許文献１が示すものがある。この従来の組立式ラックは、複数本のアングル支柱と複数の矩形の棚板を備えている。各矩形棚板は、その角部の各々が三角形に面取りされていて、その面取りした部分に配した棚受け具を介してアングル支柱に取り付けられるようになっている。具体的には、棚受け具は、面取りされた三角形とほぼ同じ形状である直角二等辺三角形に形成してある。さらに厚み方向に貫通する三角孔の中に受け入れたアングル支柱を三角孔の空間にロック部材を嵌め込むことにより固定する一方、二等辺三角形の斜辺に該当する端面を、面取りした棚板の端面に押し当て同じく直角を挟む２辺に該当する端面の外から棚板端面に挿入したネジにより固定するように構成してある。
【特許文献１】特開平８−２２８８４６号（段落００２４〜００２７、図８参照）
【発明の開示】
【発明が解決しようとする課題】
【０００３】
しかしながら、上記した従来の組立式ラックには、アングル支柱に固定した棚受け具を棚板にネジ固定することになるが、ネジ固定は、たとえば、ドライバーのような特別の工具を必要とするしワンタッチで簡単に行うことのできない作業であることが、まず問題となる。さらに、ネジ固定であるためにアングル支柱や棚板の歪みに順応しづらいという問題がある。すなわち、湿度や温度の変化、または加えられた外力により棚板が変形する場合が考えられる。その材質や形状等にもよるが、ネジ固定された棚板は棚受け具に対して身動きすることができないため、歪んだ場合に歪みにより生ずる応力がネジの挿入部分に集中して割れやヒビの原因となる場合もある。本発明が解決しようとする課題は、上記した２つの問題点を解消することにある。すなわち、組立式ラックにおいて、特別な工具を用いることなく簡単に棚板を支柱に取り付けることができるとともに、棚板が多少歪んだとしてもその歪みを吸収して棚板や支柱に無理がかからないような棚板の取付構造を提供することが、本発明の目的である。
【課題を解決するための手段】
【０００４】
上記した目的を達成するために本発明は、棚板取付具によって特別の工具を使用することなく棚板の取付を可能に、さらに、この棚板取付具の構造とフレーム上に載置した棚板角部の構造との組み合わせにより棚板の歪みを可及的に吸収できるように構成してある。その詳しい構成については、項を改めて説明する。なお、何れかの請求項記載の発明を説明するに当たって行う用語の定義等は、その性質上可能な範囲において他の請求項記載の発明にも適用されるものとする。
【０００５】
（請求項１記載の発明の特徴）
請求項１記載の発明に係る組立式ラックの棚板取付構造（以下、適宜「請求項１の取付構造」という）は、少なくとも１個の多角形フレームと、当該フレームの角部の各々に設けた支柱取付部群と、当該支柱取付部の各々に取り外し可能に取り付けた支柱群と、当該フレームの上に載置可能な少なくとも１枚の多角形棚板と、を備えている。多段式のラックとする場合は、段数に応じたフレーム数となる。たとえば、３段式のラックならフレームが３個となる。フレームは四角形が一般的であるが、三角形でもよいし五角形や六角形などでもよい。また、フレームの各辺を構成するフレーム辺は、たとえば、デザインや構造上に理由から必ずしも直線である必要はなく曲線であっても曲線を含んでいてもよい。棚板の形状は、フレームの形状に合わせた形状になっている。すなわち、フレームが四角形ならば棚板も四角形、前者が三角形ならば後者も三角形になる。上記取付構造は、当該棚板を、当該支柱取付部の各々又は当該フレームに、取り外し自在に取り付けるための棚板取付具群を、備えている。そして、当該棚板取付具の各々が、当該棚板を保持可能に構成した板受け部と、当該板受け部に対して弾性変形可能な係止板部と、当該係止板部の下端に設けた当該支柱取付部の下端又は当該フレームの下端に係止可能な係止爪と、を備えている。
【０００６】
請求項１の取付構造によれば、棚板がそれを載置したフレームにより下方から支持され、フレームは各支柱取付部に取り付けた各支柱により支持される。棚板の各支柱取付部への取付は、棚板取付具の各々によって行われる。具体的には、棚板取付具の板受け部が、棚板を保持する一方、同じく係止板部の係止爪が支柱取付部下端又はフレーム辺下端に係止することにより取り付けが行われる。係止板部の係止は、係止板部が板受け部に対して弾性変形することと、下端に設けた係止爪の働きにより行われる。すなわち、まず係止板部を支柱取付部又はフレーム辺から離れる方向に弾性変形させこれらに邪魔されないようにして係止爪を下降させ、これらの下端に達したときに係止板部を弾性復帰させこれにより係止爪を係止させる。取付作業は、作業者の手のみでワンタッチに行うことができ、特別の工具を必要としない。
【０００７】
（請求項２記載の発明の特徴）
請求項２記載の発明に係る組立式ラックの棚板取付構造（以下、適宜「請求項２の取付構造」という）は、少なくとも１個の多角形フレームと、当該フレームの角部の各々に設けた支柱取付部群と、当該支柱取付部の各々に取り外し可能に取り付けた支柱群と、当該フレームの上に載置可能な少なくとも１枚の多角形棚板と、を備えている。上記取付構造は、当該棚板を、当該支柱取付部の各々又は当該フレームに、取り外し自在に取り付けるための棚板取付具群を、備えている。そして、当該棚板取付具の各々は、当該棚板の厚み寸法よりも厚い高さ寸法を有する板受け部を備えている。当該板受け部は、当該支柱取付部の外周面に沿った形状の取付部側端面と、当該支柱取付部から突き出るフレーム辺の各々に沿った形状の両フレーム側端面と、当該棚板側に位置する棚板側端面と、当該棚板側端面を入口とする挿入凹部と、当該挿入凹部の奥行きを画定する凹部底面と、当該凹部の側方を画定する両凹部側面と、を備えている。さらに、当該棚板の各角部が、その頂部及び両側端部を欠落（切欠や切除等のように後発的に欠落させることのほか、成形等のようなもともと欠落させた状態で製造することを含む）させることにより形成した角部端面及び両側部端面を備え、当該挿入凹部に挿入したときに当該角部端面と当該凹部底面との間に所定寸法の空間Ｇ１が、当該両側部端面と当該両凹部側面との間に所定寸法の空間Ｇ２が、それぞれ形成可能に構成してある。
【０００８】
請求項２の取付構造によれば、棚板がそれを載置したフレームにより下方から支持され、フレームは各支柱取付部に取り付けた各支柱により支持される。棚板の各支柱取付部又はフレームへの取付は、棚板取付具の各々によって行われる。取付作業は、作業者の手のみでワンタッチに行うことができ、特別の工具を必要としない。取付が完了すると、棚板の角部端面と板受け部との間に空間Ｇ１，Ｇ２が形成され、これらの空間Ｇ１，Ｇ２が、少なくとも棚板の長さ方向（水平方向）の歪み、たとえば、温度上昇に伴う膨張による歪みを吸収して、棚板やフレーム等に応力が集中することを有効に抑制する。したがって、応力が集中したなら生じたであろう棚板の割れやフレームの歪み等が可及的に防止され、その限りにおいて組立式ラックの美観の保持と長期使用を可能にする。なお、棚板の取り外しは、上記手順と逆のことを行えばよい。やはり特別な工具は不要である。
【０００９】
（請求項３記載の発明の特徴）
請求項３記載の発明に係る組立式ラックの棚板取付構造（以下、適宜「請求項３の取付構造」という）は、請求項２の取付構造において、前記板受け部が、さらに前記挿入凹部の上方を画定する凹部上面及び前記挿入凹部の下方を画定する凹部下面を備えている場合に、当該凹部上面及び／又は凹部下面には、前記角部の挿入方向と略一致する方向に延びるリブを形成するとともに、当該リブが前記挿入凹部に挿入した前記棚板の角部の上面及び／又は下面と当接して当該上面及び／又は当該下面との間に所定寸法の空間Ｇ３を形成可能に構成することができる。すなわち、凹部上面にのみリブを形成した場合は角部上面側にのみ空間Ｇ３が形成され、凹部下面にのみリブを形成した場合は角部下面側にのみ空間Ｇ３が形成される。さらに、凹部上面及び凹部下面の双方にリブを形成した場合は、角部上面側及び角部下面側の双方に空間Ｇ３が形成される。
【００１０】
請求項３の取付構造によれば、請求項２の取付構造の作用効果に加え、空間Ｇ３の働きにより棚板の厚み方向の歪み等を有効に吸収する。したがって、厚み方向の歪みによる棚板やフレーム等への応力集中をより有効に抑制する。
【００１１】
（請求項４記載の発明の特徴）
請求項４記載の発明に係る組立式ラックの棚板取付構造（以下、適宜「請求項４の取付構造」という）は、請求項１乃至３何れかの取付構造において、前記支柱を挿入可能な挿入孔を有し、かつ、当該挿入孔の幅寸法が長さ方向に渡って漸減する（少しずつ小さくなる）筒体を含むものにより構成することができる。
【００１２】
請求項４の取付構造によれば、請求項１乃至３何れかの取付構造の作用効果に加え、筒体に挿入した支柱を、幅寸法の漸減による楔効果により直接的又は間接的に取り付けることができる。複雑な構造ではないため、取り付け取り外しを簡単に行うことができる。
【００１３】
（請求項５記載の発明の特徴）
請求項５記載の発明に係る組立式ラックの棚板取付構造（以下、適宜「請求項５の取付構造」という）は、少なくとも１個の多角形フレームと、当該フレームの角部の各々に設けた中空状の支柱取付部群と、当該支柱取付部の各々に抜き取り可能に挿入固定した支柱群と、当該フレームの上に載置可能な少なくとも１枚の多角形棚板と、を備えている。上記取付構造は、当該棚板を、当該支柱取付部の各々又は当該フレームに、取り外し自在に取り付けるための棚板取付具群を備えている。当該棚板取付具の各々は、当該棚板の厚み寸法よりも厚い高さ寸法を有する板受け部と、当該板受け部の下端面から垂下するとともに当該板受け部に対して弾性変形可能な係止板部と、を備え、当該板受け部は、当該支柱取付部の外周面に沿った形状の取付部側端面と、当該支柱取付部から突き出るフレーム辺の各々に沿った形状の両フレーム側端面と、当該棚板側に位置する棚板側端面と、当該棚板側端面を入口とする挿入凹部と、当該挿入凹部の奥行きを画定する凹部底面と、当該凹部の側方を画定する両凹部側面と、を備えている。さらに、当該係止板部は、当該支柱取付部下端又は当該フレーム辺の少なくとも一方の下端に係止可能な係止爪を下端に備え、当該棚板の各角部は、その頂部及び両側端部を欠落させる（切欠や切除等のように後発的に欠落させることのほか、成形等のようなもともと欠落させた状態で製造することを含む）ことにより形成した角部端面及び両側部端面を備え、当該挿入凹部に挿入したときに当該角部端面と当該凹部底面との間に所定寸法の空間Ｇ１が、当該両側部端面と当該両凹部側面との間に所定寸法の空間Ｇ２が、それぞれ形成可能に構成してある。
【００１４】
請求項５の取付構造によれば、棚板がそれを載置したフレームにより下方から支持され、フレームは各支柱取付部に挿入した各支柱により支持される。棚板と各支柱取付部との取付は、棚板取付具の各々によって行われる。具体的には、棚板取付具の板受け部が、その挿入凹部の中に棚板角部の挿入を受け入れる一方、同じく係止板部の係止爪が支柱取付部下端又はフレーム辺下端に係止することにより取付が行われる。係止板部の係止は、係止板部が板受け部に対して弾性変形することと、下端に設けた係止爪の働きにより行われる。すなわち、まず係止板部を支柱取付部又はフレーム辺から離れる方向に弾性変形させこれらに邪魔されないようにして係止爪を下降させ、これらの下端に達したときに係止板部を弾性復帰させこれにより係止爪を係止させる。取付作業は、作業者の手のみでワンタッチに行うことができ、特別の工具を必要としない。取付が完了すると、棚板の角部端面と板受け部との間に空間Ｇ１，Ｇ２が形成され、これらの空間Ｇ１，Ｇ２が、少なくとも棚板の長さ方向（水平方向）の歪み、たとえば、温度上昇に伴う膨張による歪みを吸収して、棚板やフレーム等に応力が集中することを有効に抑制する。したがって、応力が集中したなら生じたであろう棚板の割れやフレームの歪み等が可及的に防止され、その限りにおいて組立式ラックの美観の保持と長期使用を可能にする。なお、棚板の取り外しは、上記手順と逆のことを行えばよい。やはり特別な工具は不要である。
【００１５】
（請求項６記載の発明の特徴）
請求項６記載の発明に係る組立式ラックの棚板取付構造（以下、適宜「請求項６の取付構造」という）は、請求項５の取付構造において、前記板受け部が、前記挿入凹部の上方を画定する凹部上面及び前記挿入凹部の下方を画定する凹部下面を、さらに備え、当該凹部上面及び／又は凹部下面には、前記角部の挿入方向と略一致する方向に延びるリブを形成してあり、当該リブが前記挿入凹部に挿入した前記棚板の角部の上面及び／又は下面と当接して当該上面及び／又は当該下面との間に所定寸法の空間Ｇ３を形成可能に構成することができる。すなわち、凹部上面にのみリブを形成した場合は角部上面側にのみ空間Ｇ３が形成され、凹部下面にのみリブを形成した場合は角部下面側にのみ空間Ｇ３が形成される。さらに、凹部上面及び凹部下面の双方にリブを形成した場合は、角部上面側及び角部下面側の双方に空間Ｇ３が形成される。
【００１６】
請求項６の取付構造によれば、請求項５の取付構造の作用効果に加え、棚板角部の支持がリブを介して行われる。この結果、角部と板受け部との間に空間Ｇ３が形成され、この空間Ｇ３が少なくとも棚板の厚み方向の歪みを吸収する。棚板の歪みは長さ方向と厚み方向の歪みにより合成されるねじれやたわみ等も含まれるので、前記した水平方向の空間Ｇ１，Ｇ２に加え、厚み方向の空間Ｇ３を加えることにより、棚板取付具の歪み吸収効果をより高めることができる。
【００１７】
（請求項７記載の発明の特徴）
請求項７記載の発明に係る組立式ラックの棚板取付構造（以下、適宜「請求項７の取付構造」という）は、請求項５又は６の取付構造であって、前記係止板部の前記支柱取付部側の面が、前記取付部側端面と連続させてあり、かつ、当該支柱取付部外周面に沿った形状に形成することができる。
【００１８】
請求項７の取付構造によれば、請求項５又は６の取付構造の作用効果に加え、支柱取付部側の面と挿入部側面とが連続的に支柱取付部外周面に沿った形状をなすことになる。したがって、棚板取付具と支柱取付部との間に構造的一体感、すなわち、まとまりを生じさせ、これが、組立式ラック全体の意匠に好影響を与える。
【発明の効果】
【００１９】
本発明によれば、組立式ラックにおいて、特別な工具を用いることなく簡単に棚板を支柱に取り付けることができるとともに、棚板が多少歪んだとしてもその歪みを吸収して棚板や支柱に無理がかからないような棚板の取付構造を提供することができる。
【発明を実施するための最良の形態】
【００２０】
各図を参照しながら、本発明の実施の形態について説明する。図１は、組立式ラックの全体斜視図である。図２及び３は、棚板取付構造を示す部分拡大図である。図４は、棚板取付構造を示す平面図及び縦断面図である。図５は、フレームの平面図及びフレームの縦断面図である。図６及び７は、棚板取付具の詳細図である。図８は、第１変形例に係る棚板取付具を示す斜視図である。図９は、第２変形例に係る棚板取付具を示す斜視図である。図１０及び１１は、第３変形例に係る棚板取付具を示す斜視図である。図１２は、第４変形例に係る棚板取付具を示す斜視図である。
【００２１】
（組立式ラックの概略構造）
図１に示すように、組立式ラック１は、多角形状のフレーム３，・・と、各フレーム３の各角部に設けた中空状の支柱取付部５，・・と、支柱取付部５の各々に抜き取り可能に挿入固定した複数本の支柱７，・・と、各フレーム３の上に載置可能な多角形状の棚板９，・・と、から概ね構成してある。組立式ラックは、複数のフレームを有する多段式のものが一般的であるが、用途に応じてフレームを１個とする単段式のものもある。組立式ラックは、複数の部品を組み合わせることにより完成するものであるから、分解すれば完成時に比べてコンパクト化することができる。よって、運搬時や保管時等のように、使用しないときにたいへん便利である。組立式ラックは、主として物を載せて保管しておくためのものであるが、これ以外にも、たとえば、作業台として使用することができる。
【００２２】
（フレーム及び支柱の構造）
１乃至５を参照しながら説明する。フレーム３は、メインフレーム２１と載置部２５により構成してあり、平面視において全体を略長方形に形成してある。メインフレーム２１は、４つのフレーム辺２３，・・と、各角部に位置する４つの支柱取付部５，・・から構成してある。各フレーム辺２３は、鉄板を板金加工して角柱状に形成したものであり、鉄製の各支柱取付部５との接続は溶接により行っている。支柱取付部５は、外径及び内径を僅かに先細りさせた鉄製パイプであって、内部に支柱７を挿入固定するための挿入孔３１を有している。すなわち、挿入孔３１の直径（幅寸法）は、図２の下から上に向かって少しずつ小さくなっている（漸減している）。これは、直径を小さくすることにより、支柱取付部５に支柱７を楔作用により固定するためである。具体的には、円柱状の固定部材（図示を省略）を被覆して支柱７の見かけ上の直径を拡大し、それを支柱取付部５の内周面に楔のように嵌まり込ませて固定する。載置部２５は、各フレーム辺２３の縦方向ほぼ中央（下端でもよい）からメインフレーム２１の中心に向かって突き出す載置板２７及び格子状に配した線材２９，・・により構成してある。このように構成した載置部２５の上に棚板９を載置すると、棚板９の四方を各メインフレーム２１が囲んで位置ずれを生じさせないように各部材の寸法を設定してある。載置板２７は、たとえば、各フレーム辺２３の一部を板金加工により屈曲させて構成するか、各フレーム辺２３の下端に溶接した細長い鉄板により構成することができる。線材２９は、これを鉄線により構成してあり、その終端の各々は各載置板２７の下端に溶接してある。なお、支柱７は、複数の鉄製短尺柱から構成してあり、一方の短尺柱と他方の短尺柱との連結は、前者の外周と後者の内周との間のネジ構造の締め付けにより行えるように構成してある。フレーム３や支柱７は、強度的に充分であり、かつ、加工に特段の不便がなければ、これらを鉄以外の金属により構成したり、その一部又は全部を合成樹脂等の素材により構成可能であることはいうまでもない。
【００２３】
（棚板取付具の構造）
図２乃至７に基づいて説明する。棚板取付具１１は、合成樹脂を射出成形して構成してあり、板受け部５１と係止板部７５とにより構成してある。前者が棚板９に連結する部分であり、後者が支柱取付部５に連結する部分である。板受け部５１は、平面視において、直角二等辺三角形の直角部分を切り取ったような形状を有している。この切り取った部分を含む端面、すなわち、取付部側端面５３は、支柱取付部５の外周面３３に沿った形状に形成してある。つまり、支柱取付部５の中心を中心とする円弧状に形成してある。これは、取付部側端面５３を支柱取付部５の外周面３３との間の僅かな空間を一定とすることにより、両者間に一体感を生じさせ意匠的な価値を高めるためである。また、取付部側端面５３を挟む両端面、すなわち、フレーム側端面５５，５５は、支柱取付部５から突き出るフレーム辺２３に沿って延ばし、これによりフレーム辺２３，２３との間に一体感を持たせてある。直角二等辺三角形の斜辺を含む端面は、棚板９に向かう面、すなわち、棚板側端面５７は、これを平面に形成してあるが、機能上の問題がなければ曲面にするなどデザイン的な加工を施しても構わない。板受け部５１の高さ寸法は、棚板９の厚み寸法よりも大きく設定してある。後述するように、棚板９の角部を挿入可能とする厚みを確保するためである。本実施形態では、棚板９の厚みを５ｍｍに設定したのに対し、板受け部５１の厚みを９．５ｍｍに設定してある。
【００２４】
板受け部５１の内部には、棚板側端面５７を入り口とする挿入凹部５９を形成してある。挿入凹部５９は、奥行きを凹部底面６１により、両側方を両凹部側面６３，６３により、上方を凹部上面６５により、そして下方を凹部下面６９により、それぞれ画定されている。すなわち、挿入凹部５９は、これらの面に囲まれて形成され、図４に示すように、平面視において凹部底面６１を上底とし棚板側端面５７を下底とする左右対称の略台形形状を有している。略台形形状以外の形状を選択することを妨げるものではないが、この形状は、棚板９の角部の形状との関係から選択したものである。この点については、後述する。さらに、この台形形状を左右対象とするときの中心線に沿って細長いリブを上下に形成することが好ましい。すなわち、凹部上面６５には上面側リブ６７を、凹部下面６９には下面側リブ７１をそれぞれ突出させるとよい。リブを設ける理由は、後で説明する。なお、符号５２は、挿入凹部５９を形成した結果、一方をフレーム側端面５５とし他方を凹部側面６３として生じた側壁部を示している。
【００２５】
係止板部７５は、板受け部５１の下端から垂下（垂れ下がって）させてあり、かつ、支柱取付部側の面７７を板受け部５１の取付部側端面５３と連続させてある。支柱取付部側の面７７は、取付部側端面５３と同様に支柱取付部５の外周面３３に沿う形状に形成してあり、これにより、支柱取付部５との意匠的一体感を損ねないように形成してある。係止板部７５の下端には、係止爪７９を形成してある。係止爪７９は、支柱取付部５方向に突き出ており、支柱取付部５の下端３５に係止可能な形状を有している。係止板部７５を含む棚板取付具１１全体を合成樹脂製としてあるため、板受け部５１に対して係止板部７５が僅かに弾性変形可能になっており、この弾性変形を利用して係止爪７９を支柱取付部５の下端３５に係止可能に構成してある。詳しくは、棚板取付具１１の組立手順を説明する際に併せて説明する。
【００２６】
（棚板の構造）
図１乃至７を基にして説明する。棚板９は、メインフレーム２１内に収まるような長方形に形成してあり、本実施形態では合板により構成してあるが、金属、合成樹脂、ガラス等により構成してもよい。長方形の棚板９が有する４つの角部４１，・・の各々は、次の構造を備えている。すなわち、角部４１は、その頂部及び両側端部を切除することにより、図２及び４に示すような形状に形成してある。すなわち、頂部から三角部分を切除することにより角部端面４７を形成し、角部端面４７の両脇の両側端部１０を帯状に切除することにより両側部端面４９，４９を形成してある。角部４１は、板受け部５１の挿入凹部５９内に挿入可能になっており、上記したように一部を切除したのは、挿入したときに角部端面４７と凹部底面６１との間に空間Ｇ１を両側部端面４９，４９と両凹部側面６３，６３との間に空間Ｇ２を形成するためである。したがって、棚板９の両側端部の切除幅は、板受け部５１の側壁部５２の厚み寸法と空間Ｇ２の幅寸法の両者を併せた寸法に設定する必要があり、このように設定することにより、側壁部５２の厚みが吸収されて棚板９の側端部１０の端面と板受け部５１のフレーム側端面５５とを略同一面とすることができる。
【００２７】
さらに、角部上面４３と凹部上面６５との間及び角部下面４５と凹部下面６９との間に、それぞれ空間Ｇ３を形成させるために、棚板９の厚み寸法を形成が可能な所定寸法に設定してある。すなわち、上面側リブ６７が角部４１の角部上面４３と当接することにより凹部上面６５との間に、下面側リブ７１が同じく角部下面４５と当接することにより凹部下面６９との間に、それぞれ空間Ｇ３が形成される。そもそも棚板９と板受け部５１という物理的に別体なものを単に挿入によってのみ一体化するわけであるから、両者の完全密着は物理的に不可能であるため両者間には僅かながら必ず自然発生的な空間が生じる。しかし、自然発生的空間だけでなく空間Ｇ１、Ｇ２及びＧ３のような意図的に大きな空間を形成することにより、次のような作用効果を期待することができる。すなわち、棚板９が熱膨張等により伸びやねじれ等を起こして歪んだときに、その歪みを吸収して棚板９の割れや棚板取付具１１への応力集中を可及的に抑えることができるのである。棚板９の歪みは、その材質や寸法のほか、使用条件等にも大きく影響されるが、本実施形態では、棚板９の厚み寸法を５ｍｍ、上面側リブ６７と下面側リブ７１の突出寸法をそれぞれ０．５ｍｍとしたときに、空間Ｇ１の幅寸法を１ｍｍとした。空間Ｇ１の幅寸法は、棚板９の変形はその対角線方向が最も大きくなり易いため、この変形を吸収し得るように構造上・デザイン上許される範囲で大きく設定することが好ましい。空間Ｇ２の幅寸法は、０．５ｍｍとした。空間Ｇ２の幅寸法は、フレーム３と棚板９との間のスペースに限りがあるが、可能な範囲で大きくするとよい。さらに、空間Ｇ３の幅寸法は、０．５ｍｍとした。空間Ｇ３の幅寸法は上面側リブ６７及び下面側リブ７１の突出寸法に関係するが、後者は０．６ｍｍに設定した。後者の方が０．１ｍｍだけ前者よりも大きくなるが、この差は前者を棚板９に押し付けさせてガタツキを押えるためである。
【００２８】
（組立ラックの組立手順）
図１乃至７に基づいて説明する。まず、各フレーム３の各支柱取付部５に各支柱７を挿入固定する。次いで、棚板９に棚板取付具１１，・・を取り付ける。具体的には、前者の角部４１の各々を後者の挿入凹部５９内に挿入する。挿入が完了すると、角部４１と板受け部５１との間に空間Ｇ１，Ｇ２及びＧ３が形成される。これとともに、棚板９の両側端１０の切除部分が、板受け部５１の両側の肉厚を吸収して両側部端面４９，４９を棚板９の側端からの突き出しを抑える。突き出しがないことにより、棚板９とフレーム３との間に不要な空間ができないので、デザイン的に違和感が生じない。挿入が完了したら、完了した棚板９をフレーム３の載置部２５の上に載置する。載置する際には棚板９の各角部４１すなわち、棚板取付具１１を、各支柱取付部５に合わせて押し下げることになるが、このとき、係止板部７５の係止爪７９が、支柱取付部５の外周面３３に当接する。当接させたまま棚板９を押し下げると、下方に向って末広がりしている外周面３３からフレーム３の内側方向（図２の左方向）への力を係止爪７９が受け、これが、係止板部７５を同方向に弾性変形させる。ここで、係止爪７９が外周面３３の終端に到着すると、内側方向への力を受けなくなり、今度は、変形していた係止板部７５が弾性復帰して係止爪７９を支柱取付部５の下端３５に係止させる。各々の棚板取付具１１において、同様な係止工程を完了すれば、棚板９が取り付けてある棚板取付具１１，・・を、支柱取付部５へ取り付ける作業が完了する。このとき、載置板２７，・・と線材２９，・・からなる載置部２５が、棚板９を下方から支持し、また、周囲を囲むフレーム３が、棚板９の横ずれを防止する。棚板９を取り外す作業は、上記手順と逆の手順で行う。すなわち、各々の棚板取付具１１における係止爪７９を係止板部７５の弾性力に抗しながら内側方向に押し入れて係止爪７９と支柱取付部５の下端３５との係止を解いてから、棚板９を持ち上げればフレーム３から取り外すことができる。このように、取り付ける際にも取り外す際にも特別な工具を要せず、それらの作業をワンタッチで行うことができる。
【００２９】
棚板９の取付が完了すると、棚板９の角部４１板受け部５１との間に空間Ｇ１，Ｇ２及びＧ３が形成され、これらの空間Ｇ１，Ｇ２及びＧ３が、少なくとも棚板９の長さ方向（水平方向）の歪み、たとえば、温度上昇に伴う膨張による歪みを吸収して、棚板やフレーム等に応力が集中することを有効に抑制する。したがって、応力が集中したなら生じたであろう棚板９の割れやフレームの歪み等が可及的に防止され、その限りにおいて組立式ラック１の美観の保持と長期使用を可能にする。なお、空間Ｇ３は、上面側リブ６７及び下面側リブ７１の働きによるものであるが、これらは、棚板９の厚み方向の歪みによる棚板やフレーム等への応力集中をより有効に抑制する。
【００３０】
（本実施形態の第１変形例）
図８に基づいて説明する。第１変形例が本実施形態と異なるのは、基本的に支柱、支柱取付部及び係止板部のみであり、これら以外の部材については共通している。したがって、本項では本実施形態のそれらと構成の異なる部材についてだけ説明を行い、共通する部材については共通する部材番号を図８において使用するにとめ説明を省略する（以下に述べる変形例についても同じ）。すなわち、棚板取付具８１は、板受け部８２及び係止板部８３を有している。板受け部８２は、棚板９を保持可能に構成してあり、係止板部８３は、その下端に係止爪８５を設けてある。係止板部８３の取付部側端面８４及び係止爪８５は、角柱状の支柱取付部８７の形状に沿わせるために略Ｌ字状に形成してある。係止板部８３は、板受け部８２に対して弾性変形して、係止爪８５を支柱取付部８７の下端に係止可能に構成してある。
【００３１】
（本実施形態の第２変形例）
図９に基づいて説明する。第２変形例に係る棚板取付具９１は、棚板９７角部の両脇又は何れか一方に取り付けられるように構成してある。棚板取付具９１は、板受け部９２と係止板部９５から構成してあり、板受け部９２は係止板部の上部から棚板方向に突き出る上片９３と下片９４により構成してある。上片９３と下片９４との間は、棚板９７を挟みこんで簡単には抜けない程度の寸法に設定してある。上辺９３及び下片９４の棚板側の面に、たとえば、薄いゴムシートを貼り付けて滑り止め効果を持たせることもできる。係止板部９５の下端には、フレーム辺２３の下端に係止可能な係止爪９６を設けてある。棚板９７の角部は、支柱取付部５の干渉を避けるために切除してあり、これにより、角部端面９８が支柱取付部５の外周面３３に面することになる。
【００３２】
（本実施形態の第３変形例）
図１０及び１１に基づいて説明する。図１０に示す棚板取付具１０１は、板受け部１０２と係止板部１０３とから構成してあり、係止板部１０３の下端に設けた係止爪１０４は、支柱取付部５から突き出るフレーム辺２３の下端に係止可能に構成してある。取付部側端面１０５は、これを湾曲させて支柱取付部５の外周面３３に沿うことのできる形状に形成してあるが、図１１に示す取付部側端面１０５´のような、支柱取付部５から干渉を受けない平面その他の形状に形成すること妨げない。さらに、第３変形例に係る係止板部は、角部を挟んで一方にしか、つまり１個しか設けていないが、これを両方に設けて２個としてもよい。
【００３３】
（本実施形態の第４変形例）
図１２に基づいて説明する。棚板取付具１１１は、板受け部１１２と、板受け部１１２の下端面ほぼ中央から垂下する係止板部１１３と、を備えている。係止板部１１３の下端には係止爪１１４を形成してある。他方、支柱取付部５の両側から突き出るフレーム辺１１５，１１５には、両フレーム辺１１５，１１５とともに三角形を形成する棒材１１６の両端を固定してある。棒材１１６には、両フレーム辺１１５，１１５を補強して捩りを生じさせないようにする働きと、棚板９を下方から支持する載置部の一部を構成する働きと、さらに、上記した係止爪１１４を係止させる働きとを持たせてある。
【図面の簡単な説明】
【００３４】
【図１】組立式ラックの全体斜視図である。
【図２】棚板取付構造を示す部分拡大図である。
【図３】棚板取付構造を示す部分拡大図である。
【図４】棚板取付構造を示す平面図及び縦断面図である。
【図５】フレームの平面図及びフレームの縦断面図である。
【図６】棚板取付具の詳細図である。
【図７】棚板取付具の詳細図である。
【図８】第１変形例に係る棚板取付具を示す斜視図である。
【図９】第２変形例に係る棚板取付具を示す斜視図である。
【図１０】第３変形例に係る棚板取付具を示す斜視図である。
【図１１】第３変形例に係る棚板取付具を示す斜視図である。
【図１２】第４変形例に係る棚板取付具を示す斜視図である。
【符号の説明】
【００３５】
１                組立式ラック
３                フレーム
５                支柱取付部
７                支柱
９                棚板
１０                両側端部
１１                棚板取付具
２１                メインフレーム
２３                フレーム辺
２５                載置部
２７                載置板
２９                線材
３３                外周面
３５                下端
４１                角部
４３                角部上面
４５                角部下面
４７                角部端面
４９                側部端面
５１                板受け部
５２                側壁部
５３                取付部側端面
５５                フレーム側端面
５７                棚板側端面
５９                挿入凹部
６１                凹部底面
６３                凹部側面
６５                凹部上面
６７                上面側リブ
６９                凹部下面
７１                下面側リブ
７５                係止板部
７９                係止爪
Ｇ１，Ｇ２，Ｇ３    空間
８１                棚板取付具
８２                板受け部
８３                係止板部
８４                取付部側端面
８５                係止爪
９１                棚板取付具
９２                板受け部
９３                上片
９４                下片
９５                係止板部
９６                係止爪
９７                棚板
９８                角部端面
１０１                棚板取付具
１０２                板受け部
１０３                係止板部
１０４                係止爪
１０５，１０５´      取付部側端面
１１１                棚板取付具
１１２                板受け部
１１３                係止板部
１１４                係止爪
１１５                フレーム辺
１１６                棒材
【図１】
2005143686.tif 000003
【図２】
2005143686.tif 000004
【図３】
2005143686.tif 000005
【図４】
2005143686.tif 000006
【図５】
2005143686.tif 000007
【図６】
2005143686.tif 000008
【図７】
2005143686.tif 000009
【図８】
2005143686.tif 000010
【図９】
2005143686.tif 000011
【図１０】
2005143686.tif 000012
【図１１】
2005143686.tif 000013
【図１２】
2005143686.tif 000014